(57)【要約】【課題】  無駄な電力消費を少なく抑え得るデジタル放送受信装置を提供する。【解決手段】  デジタル放送信号をクロックに従って復号するデジタル放送受信装置１であって、自装置１の移動状態に対応する移動状態データを用いてクロックの供給を制御する制御手段３を備えている。自装置１が移動しているときは、クロックの供給を停止するようにしてもよいし、クロック周波数を下げるようにしてもよい。【選択図】  図１
2007068020.tif 000002
【特許請求の範囲】
【請求項１】
デジタル放送信号をクロックに従って復号するデジタル放送受信装置であって、
自装置の移動状態に対応する移動状態データを用いて前記クロックの供給を制御する制御手段を備えるデジタル放送受信装置。
【請求項２】
前記制御手段は、自装置が移動中であれば、前記クロックの供給を停止することを特徴とする請求項１に記載のデジタル放送受信装置。
【請求項３】
前記制御手段は、前記デジタル放送信号に含まれデータ量が相対的に多い一のセグメントを復号するためのクロックを前記クロックとすることを特徴とする請求項２に記載のデジタル放送受信装置。
【請求項４】
前記制御手段は、自装置が移動中であれば、前記一のセグメントに代えてデータ量が相対的に少ない他のセグメントを選択することを特徴とする請求項３に記載のデジタル放送受信装置。
【請求項５】
前記制御手段は、前記デジタル放送信号に含まれノイズによる誤りに相対的に弱い一のセグメントを復号するためのクロックを前記クロックとすることを特徴とする請求項２に記載のデジタル放送受信装置。
【請求項６】
前記制御手段は、自装置が移動中であれば、前記一のセグメントに代えてノイズによる誤りに相対的に強い他のセグメントを選択することを特徴とする請求項５に記載のデジタル放送受信装置。
【請求項７】
前記制御手段は、自装置が移動中であれば、前記クロックの周波数を下げることを特徴とする請求項１に記載のデジタル放送受信装置。
【請求項８】
前記制御手段は、前記デジタル放送信号に含まれデータ量が相対的に多い一のセグメントを復号するためのクロックを前記クロックとすることを特徴とする請求項７に記載のデジタル放送受信装置。
【請求項９】
前記制御手段は、自装置が移動中であれば、前記一のセグメントに代えてデータ量が相対的に少ない他のセグメントを選択することを特徴とする請求項８に記載のデジタル放送受信装置。
【請求項１０】
前記制御手段は、前記デジタル放送信号に含まれノイズによる誤りに相対的に弱い一のセグメントを復号するためのクロックを前記クロックとすることを特徴とする請求項７に記載のデジタル放送受信装置。
【請求項１１】
前記制御手段は、自装置が移動中であれば、前記一のセグメントに代えてノイズによる誤りに相対的に強い他のセグメントを選択することを特徴とする請求項１０に記載のデジタル放送受信装置。
【請求項１２】
前記制御手段は、ＧＰＳデータを前記移動状態データとして用いることを特徴とする請求項１ないし請求項１１の何れかに記載のデジタル放送受信装置。
【請求項１３】
前記制御手段は、速度に対応する速度データを前記移動状態データとして用いることを特徴とする請求項１ないし請求項１１の何れかに記載のデジタル放送受信装置。
【請求項１４】
前記制御手段は、ギアレバーの状態に対応するギアレバーデータを前記移動状態データとして用いることを特徴とする請求項１ないし請求項１１の何れかに記載のデジタル放送受信装置。
【請求項１５】
デジタル放送信号をクロックに従って復号するデジタル放送受信装置であって、
デジタル放送波の受信感度に対応する受信感度データを用いて前記クロックの供給を制御するクロック制御手段を備えるデジタル放送受信装置。
【請求項１６】
前記クロック制御手段は、デジタル放送波の受信感度が所定値以下であれば、前記クロックの供給を停止することを特徴とする請求項１５に記載のデジタル放送受信装置。
【請求項１７】
前記クロック制御手段は、デジタル放送波の受信感度が所定値以下であれば、前記クロックの周波数を下げることを特徴とする請求項１５に記載のデジタル放送受信装置。
【請求項１８】
デジタル放送信号をクロックに従って復号するデジタル放送受信装置であって、
デジタル放送波が表示されているか否かに対応する表示状態データを用いて前記クロックの供給を制御するクロック制御手段を備えるデジタル放送受信装置。
【請求項１９】
前記クロック制御手段は、デジタル放送波が表示されていなければ、前記クロックの供給を停止することを特徴とする請求項１８に記載のデジタル放送受信装置。
【請求項２０】
前記クロック制御手段は、デジタル放送波が表示されていなければ、前記クロックの周波数を下げることを特徴とする請求項１８に記載のデジタル放送受信装置。
【発明の詳細な説明】
【技術分野】
【０００１】
本発明は、デジタル放送受信装置、特に、ＩＳＤＢ−Ｔ（Ｉｎｔｅｇｒａｔｅｄ Ｓｅｒｖｉｃｅｓ Ｄｉｇｉｔａｌ Ｂｒｏａｄｃａｓｔｉｎｇ ｆｏｒ Ｔｅｒｒｅｓｔｒｉａｌ）方式に準拠した場合に好適なデジタル放送受信装置に関するものである。
【背景技術】
【０００２】
日本の地上波デジタル放送の技術基準としてＩＳＤＢ−Ｔ方式が１９９９年に策定されている。このＩＳＤＢ−Ｔ方式の最大の特徴は、伝送帯域を１３のセグメントに分割し、セグメント単位で変調方式を変更することができることであり、最大３種類（３階層）の変調方式を組み合わせて伝送できる。例えば、１３セグメントのうち９セグメントを用いて固定受信機向けの高精細放送（ＨＤＴＶ：Ｈｉｇｈ Ｄｅｆｉｎｉｔｉｏｎ Ｔｅｌｅｖｉｓｉｏｎ）を、３セグメントを用いて移動受信機向けの標準放送（ＳＤＴＶ：Ｓｔａｎｄａｒｄ Ｄｅｆｉｎｉｔｉｏｎ Ｔｅｌｅｖｉｓｉｏｎ）を、１セグメントを用いて携帯受信機向けの簡易放送を、それぞれ提供することが可能である。
【０００３】
地上波デジタル放送は２００３年より１２セグメントまたは１３セグメントを用いた本放送が開始されているが、更に１セグメントを使用した放送が２００６年より開始される予定である。当面は１２セグメントおよび１セグメントで同一の番組を提供するサイマル放送（サイマルキャスト）が実施される見込みである。
【０００４】
１２セグメント放送は、広い帯域を利用して高精細な画像・音声を提供できるものの、ノイズによる誤りに弱く、移動しながらの受信には不向きであるという特徴がある。一方、１セグメント放送は、帯域が狭く伝送レートは低いが、誤りに強く移動しながらの受信に適しているという特徴がある。
【０００５】
移動／停止を頻繁に繰り返す車載用デジタル放送受信装置等の場合、１２セグメント放送、１セグメント放送共に対応することが望まれており、両放送とも受信可能な端末の開発が進められている。なお、以下においては、「１２セグメント放送」の語を、９セグメントの高精細放送や３セグメントの標準放送の意味でも使用する。
【０００６】
従来のデジタル放送受信装置は、一般に、図６に示すように、チューナー１０１、ＴＳ（Ｔｒａｎｓｐｏｒｔ Ｓｔｒｅａｍ）分離部１０２、クロック生成部１０３、映像復号手段１０４および音声復号手段１０５で構成されている。この装置では、まず、チューナ１０１により受信波の復調が行われ、ＴＳが出力される。ＴＳとは、ＭＰＥＧ（Ｍｏｖｉｎｇ Ｐｉｃｔｕｒｅ Ｅｘｐｅｒｔ Ｇｒｏｕｐ）２Ｓｙｓｔｅｍｓで規定されたプロトコルで、映像、音声、データ等を多重化して伝送することが可能である。次に、ＴＳ分離部１０２にて、映像や音声等のＥＳ（Ｅｌｅｍｅｎｔａｒｙ Ｓｔｒｅａｍ）に分離される。映像復号手段１０４および音声復号手段１０５は、それぞれクロック生成部１０３から供給される同期用基準信号としてのクロック（クロック信号）に従って動作し、対応するＥＳを復号して外部に同期出力する。ここでクロック生成部から供給されるクロックは一定周波数の信号（一定周期で発生する信号）である。
【０００７】
また、１２セグメント放送、１セグメント放送に共に対応した従来のデジタル放送受信装置は、図７に示すように、１２セグメントチューナー１０１Ａ、１セグメントチューナー１０１Ｂ、ＴＳ分離部１０２、クロック生成部１０３、１２セグメント映像復号手段１０７、１セグメント映像復号手段１０８および音声復号手段１０５で構成されている。この装置では、まず、１２セグメントチューナー１０１Ａおよび１セグメントチューナー１０１Ｂにより受信波の復調が行われ、ＴＳが出力される。次に、ＴＳ分離部１０２により、映像や音声等のＥＳ（Ｅｌｅｍｅｎｔａｒｙ Ｓｔｒｅａｍ）に分離される。１２セグメント映像復号手段１０７、１セグメント映像復号手段１０８および音声復号手段１０５は、それぞれクロック生成部１０３から供給されたクロックにより動作し、対応するＥＳを復号して外部に出力する。ここでクロック生成部から供給されるクロックは一定である。
【０００８】
１２セグメント放送、１セグメント放送に共に対応したデジタル放送受信装置の場合、１２セグメント／１セグメントの受信選択については、ユーザーが選択する方法の他に、画面サイズや表示能力により１２セグメント／１セグメントを自動的に切り替えるものが知られている（例えば特許文献１、２参照）。
【０００９】
また、電池駆動時には電力消費の少ない１セグメント放送に切り替えるものがある（例えば特許文献３参照）。
【特許文献１】特開２００４−２８９７１２号公報
【特許文献２】特開２００５−０２０３４０号公報
【特許文献３】特開２００４−３６４０９５号公報
【発明の開示】
【発明が解決しようとする課題】
【００１０】
しかしながら、従来の車載用デジタル放送受信装置にあっては、走行中は映像を表示せず音声のみ出力するように走行強制がかかるようになっている場合が多いにもかかわらず、装置内では映像表示のための処理（主として復号処理）が行われているため、この処理にかかる電力が無駄に消費されるという問題があった。
【００１１】
また、１２セグメント放送と１セグメント放送に対応した従来のデジタル放送受信装置においては、１２セグメント放送受信中に走行を開始しても１２セグメント放送の映像復号処理が続けられるため、この処理にかかる電力が無駄に消費されるという問題があった。１２セグメント放送の映像はＭＰＥＧ２Ｖｉｄｅｏで伝送されており、ＭＰＥＧ２Ｖｉｄｅｏを復号する回路は一般に規模が大きく消費電力も大きいからである。
【００１２】
本発明は、上述のような従来の問題を解決するためになされたもので、無駄な電力消費を少なく抑え得るデジタル放送受信装置を提供するものである。
【課題を解決するための手段】
【００１３】
上記課題を解決するため、本発明のデジタル放送受信装置は、自装置の特定の使用状態を検出し、その検出結果に基づいてクロックの供給を制御する構成となっており、映像復号手段の作動に適さない自装置の特定の使用状態、例えば一定時間以上の移動中やそれと同様に映像復号を制限すべき状態において、クロック制御によって映像復号手段の作動を制限し、電力消費を減らすことができる。
【００１４】
すなわち、本発明は、デジタル放送信号をクロックに従って復号するデジタル放送受信装置であって、自装置の移動状態に対応する移動状態データを用いて前記クロックの供給を制御する制御手段を備えるものである。
【００１５】
この構成により、自装置の移動中、クロック制御によって映像復号手段の作動を制限し、電力消費を減らすことができる。
【００１６】
本発明においては、前記制御手段は、自装置が移動中であれば、前記クロックの供給を停止するようにしてもよい。この場合、移動中は映像復号手段の作動が停止されることになる。
【００１７】
あるいは、前記制御手段は、自装置が移動中であれば、前記クロックの周波数を下げるものでもよい。この場合、移動中は映像復号手段の作動がクロックの周波数に応じて制限されることになる。
【００１８】
また、前記制御手段は、前記デジタル放送信号に含まれデータ量が相対的に多い一のセグメントを復号するためのクロックを前記クロックとするのが好ましい。これにより、電力消費をより減らすことができる。
【００１９】
このように自装置の移動中にクロックの供給を停止したりクロック周波数を下げたりする場合には、次のようにするのが好ましい。
【００２０】
前記制御手段は、自装置が移動中であれば、前記一のセグメントに代えてデータ量が相対的に少ない他のセグメントを選択するものであってもい。この場合、低クロックでも復号動作が可能となる。
【００２１】
また、前記制御手段は、前記デジタル放送信号に含まれノイズによる誤りに相対的に弱い一のセグメントを復号するためのクロックを前記クロックとするのがよい。この構成により、移動中はノイズによる誤りに弱い一のセグメントの復号を控えて、無駄な電力消費を抑えることができる
さらに、前記制御手段は、自装置が移動中であれば、前記一のセグメントに代えてノイズによる誤りに相対的に強い他のセグメントを選択するものであてもよい。これにより移動中にも誤りの少ない復号処理が可能となる。
【００２２】
一方、前記制御手段は、ＧＰＳデータを前記移動状態データとして用いるものとすることができる。これにより自装置の移動状態を正確に把握でき、移動中か否かの検出信号を容易に得ることができる。
【００２３】
また、前記制御手段は、速度に対応する速度データを前記移動状態データとして用いることもでき、この場合、移動中か否かの検出信号を容易に得ることが可能である。
【００２４】
あるいは、前記制御手段は、ギアレバーの状態に対応するギアレバーデータを前記移動状態データとして用いることもできる。この場合、移動中か否かの検出信号を容易に得ることが可能である。
【００２５】
本発明は、あるいは、デジタル放送信号をクロックに従って復号するデジタル放送受信装置であって、デジタル放送波の受信感度に対応する受信感度データを用いて前記クロックの供給を制御するクロック制御手段を備えるものである。
【００２６】
受信感度が低い場合に、消費電力が比較的大きい映像復号手段を無駄に作動させないようにでき、無駄な電力消費が抑えられるからである。
【００２７】
前記クロック制御手段は、デジタル放送波の受信感度が所定値以下であれば、前記クロックの供給を停止するものとしてもよいし、あるいは、デジタル放送波の受信感度が所定値以下であれば、前記クロックの周波数を下げるものでもよい。受信感度が低い場合に、消費電力が比較的大きい映像復号手段を無駄に作動させないようにでき、無駄な電力消費が抑えられるからである。
【００２８】
あるいはまた、本発明は、デジタル放送信号をクロックに従って復号するデジタル放送受信装置であって、デジタル放送波が表示されているか否かに対応する表示状態データを用いて前記クロックの供給を制御するクロック制御手段を備えるものである。この構成により、表示の状態や種別に応じて映像復号手段の無駄な作動を制限できる。
【００２９】
前記クロック制御手段は、デジタル放送波が表示されていなければ、前記クロックの供給を停止するか、あるいは、前記クロックの周波数を下げるのがよい。
【００３０】
前記状態検出手段は、また、画面表示種別を検出する画面表示種別検出手段であってもよく、その場合、前記クロック制御手段は、テレビ画面表示中でない場合に前記映像復号手段に供給するクロックを停止し又はクロック数を少なくするのが好ましい。表示種別に応じて映像復号手段の無駄な作動を制限できるからである。
【００３１】
なお、本発明では、受信装置の特定の使用状態を検出し、その検出結果に基づいてクロックの供給を制御し、その供給クロックに従って受信装置の受信信号を復号することもできる。したがって、映像復号手段の作動に適さない自装置の特定の使用状態、例えば一定時間以上の移動中やそれと同様に映像復号を制限すべき状態において、クロック制御によって映像復号手段の作動を制限し、電力消費を減らすことができる。
【００３２】
また、伝送帯域を分割して複数階層で構成された放送信号を受信装置により受信して出力することができ、受信装置が移動中か否かを検出するとともに、その検出結果に基づいて受信する階層を切り替え、移動検出結果に基づいてクロックの供給を制御することもできる。
【発明の効果】
【００３３】
本発明によれば、移動中等の特定の使用状態において映像復号手段へのクロックを制限して映像復号に要する電力を削減することができ、無駄な電力消費の少ないデジタル放送受信装置を提供することができる。
【００３４】
また、自装置の使用状態に応じて例えば１２セグメント放送から１セグメント放送に切り替え、消費電力の大きい１２セグメント用の復号手段に入力されるクロック数を制御することにより、移動中等の特定の状態において１２セグメント用復号手段へのクロックを制限して映像復号に要する電力を削減することができ、無駄な電力消費の少ないデジタル放送受信装置を提供することができるる。
【発明を実施するための最良の形態】
【００３５】
以下、本発明の好ましい実施の形態について、図面を用いて説明する。
【００３６】
（第１の実施の形態）
図１は本発明の第１の実施の形態のデジタル放送受信装置を示している。
【００３７】
なお、本実施形態のデジタル放送受信装置１は、図６に記した従来のデジタル放送受信装置と同一もしくはそれに相当する構成要素を部分的に備えているので、その部分については図６に示した構成要素と同一の符号を付し、図６に示す従来例と相違する点について詳述する。
【００３８】
図１に示すように、本実施形態のデジタル放送受信装置１は、従来装置と同様なチューナー１０１、ＴＳ分離部１０２およびクロック生成部１０３に加えて、自装置の使用状態が所定の使用状態か否か、例えば自装置が移動中の使用状態にあるか否かを検出する状態検出手段としての移動検出手段２と、この移動検出手段２の検出結果に応じてクロック生成部１０３からのクロックを供給制御するクロック制御手段３と、クロック制御手段３から供給されたクロックに従って動作する映像復号手段４および音声復号手段５とを具備している。
【００３９】
移動検出手段２は、例えばジャイロ等のデバイスで、デジタル放送受信装置１自身の移動状態を検出するものであり、あるいは、デジタル放送受信装置１を搭載している車両の移動状態を、車載ナビゲーション装置等からのＧＰＳ（Ｇｌｏｂａｌ Ｐｏｓｉｔｉｏｎｉｎｇ Ｓｙｓｔｅｍ）データ、速度（車速）に対応する速度データ、あるいは変速操作部であるギアレバーの状態に対応するギアレバーデータ等といった移動状態データとして外部より入力し、移動・停止を決定するものである。また、移動検出手段２は、車載ナビゲーション装置の走行強制信号を外部入力として、移動・停止を決定するものであってもよい。なお、移動検出に代えて、他の使用状態、例えば放送波の受信状態や自装置の画面出力に使用される画面表示種別を検出するようにしてもよい（それについては後述する）。
【００４０】
クロック制御手段３は、移動検出手段２の検出結果に応じて、自装置が移動中であれば、例えばクロック生成部１０３からのクロック、特にデジタル放送信号に含まれるデータ量が他のデジタル放送信号に比して相対的に多い一のセグメントを復号するためのクロックの供給を停止する（あるいはクロックの周波数を下げてもよい）。
【００４１】
映像復号手段４は、ＭＰＥＧ２Ｖｉｄｅｏ形式、ＭＰＥＧ４Ｖｉｄｅｏ形式、Ｈ．２６４／ＡＶＣ（ＩＴＵ-Ｔ Ｒｅｃ. Ｈ.２６４／ＩＳＯ／ＭＰＥＧ-４ Ｐａｒｔ１０ Ａｄｖａｎｃｅｄ Ｖｉｄｅｏ Ｃｏｄｉｎｇ）形式等の映像ＥＳを復号する集積回路である。
【００４２】
音声復号手段５は、クロック生成部１０３から供給されたクロックにより動作し、音声ＥＳを復号して外部に音声信号を出力する。
【００４３】
映像復号手段４および音声復号手段５に供給されるクロックは、クロック制御手段３により移動検出手段２の検出結果に基づいて制御されるようになっている。
【００４４】
次に、その動作について説明する。
【００４５】
上述のように構成されたデジタル放送受信装置においては、まず、移動検出手段２がデジタル放送受信装置１の特定の使用状態である移動状態を検出し、クロック制御手段３に対して移動検出若しくは停止検出情報を出力する。
【００４６】
次いで、クロック制御手段３が映像復号手段４および音声復号手段５に供給するクロックを制御する。
【００４７】
図２はこのときのクロック制御処理の手順をより詳細に示したフローチャートである。このクロック制御処理は、移動状態が変化するたびに繰り返し実行される。
【００４８】
まず、移動検出手段２からの移動又は停止といった検出情報に基づいて自装置が移動中であるかどうかが判定される（ステップＳ１１）。
【００４９】
移動中でない場合（ステップＳ１１でＮＯの場合）は、クロック制御手段３では何もクロック制限処理がなされず、クロック生成部１０３からのクロックに対応する予め定められたクロックがクロック制御手段３を介して映像復号手段４および音声復号手段５に供給される。
【００５０】
一方、移動中の場合（ステップＳ１１でＹＥＳの場合）には、次に進んで、クロック制御手段３により映像復号手段４へのクロック供給が停止される（ステップＳ１２）。このとき、音声復号手段５に対しては、クロック生成部１０３からのクロックに対応する予め定められたクロックの供給が継続して実行される。
【００５１】
このようなクロック制御処理に対し、映像復号手段４および音声復号手段５においては、それぞれクロックが供給されると、その供給クロックに従って復号処理が行われる。
【００５２】
そして、このようなクロック制御処理が、移動状態の変化のたびに、移動検出手段２の検出情報に基づいて繰り返し実行され、映像復号手段４および音声復号手段５による復号処理の状態が、常に自装置の特定の使用状態である移動状態の有無に応じて制御されることになる。
【００５３】
すなわち、本実施形態における一連の処理は、自装置（受信装置）の特定の使用状態を検出する状態検出ステップと、この状態検出ステップによる検出結果に基づいてクロックの供給（所定時間当りの供給クロック数）を制御するクロック制御ステップと、このクロック制御ステップにより供給されたクロックに従って受信装置の受信信号を復号する映像復号ステップとを含むデジタル放送受信を実行するものであり、さらに、その状態検出ステップが自装置の移動中か否かを検出する移動検出ステップであり、そのクロック制御ステップが移動検出ステップによる検出結果に基づいてクロックの供給を制限する（所定時間当りの供給クロック数を少なくするかクロックの供給を停止する）制御ステップとなっている。
【００５４】
ところで、上述のように、映像復号手段４および音声復号手段５では、クロックが供給されている場合に復号処理が動作して電力を消費するが、クロックが停止している場合、復号処理は動作しないため、電力消費は抑えられる。
【００５５】
本実施形態のデジタル放送受信装置においては、ＭＰＥＧ２Ｖｉｄｅｏ等の復号を行う映像復号手段４には一般に回路規模の大きなものが必要となり、音声復号手段５に比べて比較的大きな電力を消費するものの、自装置の移動状態（移動しながらの通信の有無）に応じ、消費電力の大きい映像復号回路を持つ映像復号手段４への入力クロックがクロック制御手段３によって制限、例えば停止制御されるので、移動中は映像復号手段４へのクロックを停止して映像復号に要する電力を削減することができる。その結果、消費電力の大きな削減効果が得られる。
【００５６】
このように本実施形態のデジタル放送受信装置では、自装置の使用状態に応じて映像復号手段４に入力されるクロック数を制御することにより、移動中という特定の使用状態において映像復号手段４へのクロックを制限して映像復号に要する電力を削減することができ、無駄な電力消費の少ないデジタル放送受信装置を提供することができる。
【００５７】
なお、本実施形態では、状態検出手段としての移動検出手段２による検出結果に基づいて映像復号手段４へのクロック供給を制御する構成としていたが、他の検出情報に基づくクロック供給制御、例えばデジタル放送波の受信感度を検出して、その受信感度に応じてクロック供給を制御するような構成や、自装置の画面出力に使用される画面表示種別を検出し、例えばテレビ画面表示中か否か、デジタル放送が表示されているかといった情報を基にクロック供給を制御する構成としてもよい。
【００５８】
すなわち、移動検出手段に代えてデジタル放送波の受信感度を検出する状態検出手段を設けて、その受信感度データに応じてクロック供給を制御することができ、その場合には、クロック制御手段は、受信感度が所定値以下に低い場合には映像復号手段に供給するクロックを停止し又はクロック数を少なくする。また、自装置の画面出力に使用される画面表示種別を検出する状態検出手段を設けて、例えばテレビ画面表示中かに対応する表示状態データを基にクロック供給を制御することができ、その場合には、クロック制御手段は、テレビ画面表示中でない場合に前記映像復号手段に供給するクロックを停止し又はクロック数を少なくするようにすればよい。
【００５９】
（第２の実施の形態）
図３は、本発明の第２の実施の形態のデジタル放送受信装置を示す図であり、その概略構成をブロック図で示している。
【００６０】
本実施形態のデジタル放送受信装置は、以下に述べる通り、伝送帯域を分割して複数階層で構成された放送信号を受信して出力するもので、その複数階層は少なくとも１２セグメント放送と１セグメント放送から構成されている。すなわち、本実施形態のデジタル放送受信装置は、１２セグメント放送と１セグメント放送を共に受信可能なものである。
【００６１】
また、本実施形態のデジタル放送受信装置は、図７に記した従来のデジタル放送受信装置と同一もしくはそれに相当する構成要素を部分的に備えているので、その部分については図７に示した構成要素と同一の符号を付し、図７に示す従来例と相違する点について詳述する。また、上述した第１の実施の形態と同一もしくは類似の構成を有する構成要素については、図１と同一の符号を用いて説明する。
【００６２】
図３に示すように、本実施形態のデジタル放送受信装置１０は、従来装置と同様なＴＳ分離部１０２、クロック生成部１０３、１２セグメントチューナー１０１Ａおよび１セグメントチューナー１０１Ｂに加えて、自装置が移動中か否かを検出する移動検出手段２と、この移動検出手段２の検出結果に応じて１２セグメント（デジタル放送信号に含まれデータ量が相対的に多い／ノイズによる誤りに相対的に弱い一のセグメント）または１セグメント（デジタル放送信号に含まれデータ量が相対的に少ない／ノイズによる誤りに相対的に弱い他のセグメント）のＴＳを選択出力するＴＳ選択手段６と、同じく移動検出手段２の検出結果に応じてクロックを供給制御するクロック制御手段３と、それぞれクロック制御手段３から供給されるクロックにより独立して動作する１２セグメント映像復号手段７、１セグメント映像復号手段８および音声復号手段５とを具備している。
【００６３】
移動検出手段２およびクロック制御手段３は、それぞれ本発明の第１の実施の形態のデジタル放送受信装置のそれらとほぼ同様で、クロック制御手段３は移動検出手段２の検出結果に応じて１２セグメント映像復号手段７への所定時間当りの供給クロック数を少なくする、例えばその供給クロックを停止することができるようになっている。
【００６４】
ＴＳ選択手段６は、移動検出手段２による検出結果に応じ作動して受信階層を切り替える階層切替手段となっており、移動中である場合には１セグメント放送の受信に切り替えるように、１２セグメントチューナー１０１ＡからのＴＳと１セグメントチューナー１０１ＢからのＴＳとを選択して出力するようになっている。
【００６５】
また、１２セグメント映像復号手段７は、例えばＭＰＥＧ２Ｖｉｄｅｏ形式の映像ＥＳ（Ｅｌｅｍｅｎｔａｒｙ Ｓｔｒｅａｍ）を復号可能な集積回路であり、１セグメント映像復号手段８は、例えばＨ．２６４／ＡＶＣ形式の映像ＥＳを復号可能な集積回路である。
【００６６】
音声復号手段５は、ＭＰＥＧ２Ａｕｄｉｏ ＡＡＣ（Ａｄｖａｎｃｅｄ Ａｕｄｉｏ Ｃｏｄｉｎｇ）等を復号可能な集積回路である。なお、ここでは１２セグメントと１セグメントで音声復号手段を共通に使用する構成としたが、１２セグメントと１セグメントで個別に音声復号手段を持つ構成としてもよい。
【００６７】
次に、以上のように構成されたデジタル放送受信装置の動作について、図４および図５を用いて説明する。
【００６８】
上述のように構成されたデジタル放送受信装置においては、まず、移動検出手段２がデジタル放送受信装置１０の移動状態を検出し、ＴＳ選択手段６およびクロック制御手段３に対してその検出結果である移動検出若しくは停止検出情報を出力する。
【００６９】
次に、ＴＳ選択手段６がＴＳ分離部１０２に出力するＴＳを選択する。
【００７０】
図４はＴＳ選択処理の手順をより詳細に示したフローチャートである。このＴＳ選択処理は、移動状態が変化するたびに行われる。
【００７１】
まず、移動検出手段２からの検出情報に基づいて自装置が移動中かどうか判定される（ステップＳ４１）。
【００７２】
移動中でない場合（ステップＳ４１でＮＯの場合）は、ＴＳ選択手段６では切り替え処理が行われず、現在受信しているＴＳがそのまま出力される。一方、移動中の場合（ステップＳ４１でＹＥＳの場合）には、次に進んで、ＴＳ選択手段６では現在までの受信セグメントでなく１セグメントチューナー１０１ＢからのＴＳに切り替えた出力がなされる（ステップＳ４２）。すなわち、移動中は常に１セグメント放送に切り替えられることになる。
【００７３】
このとき、ＴＳ分離部１０２では、１セグメントチューナー１０１ＢからのＴＳを１セグメント映像ＥＳと音声ＥＳとに分離して、１セグメント映像ＥＳを１セグメント映像復号手段８に、音声ＥＳを音声復号手段５に、それぞれ出力することになる。
【００７４】
一方、このようなＴＳ選択処理と、併行して、クロック制御手段３では各復号手段に供給するクロックが制御される。
【００７５】
図５は、このクロック制御処理の手順をより詳細に示したフローチャートである。このクロック制御処理は、移動状態が変化するたびに行われる。
【００７６】
まず、移動検出手段２からの検出情報に基づいて自装置が移動中かどうか判定される（ステップＳ５１）。
【００７７】
移動中でない場合（ステップＳ５１でＮＯの場合）は、クロック制御手段３では何もクロック制限処理がなされず、クロック生成部１０３からのクロックに対応する予め定められたクロックがクロック制御手段３を介して１２セグメント映像復号手段７、１セグメント映像復号手段８および音声復号手段５にそれぞれ供給される。
【００７８】
一方、移動中の場合（ステップＳ５１でＹＥＳの場合）には、次に進み、クロック制御手段３により１２セグメント映像復号手段７へのクロック供給のみが停止される（ステップＳ５２）。このとき、１セグメント映像復号手段８および音声出力手段５に対しては、クロック生成部１０３からのクロックに対応する予め定められたクロックの供給が継続して実行される。
【００７９】
このようなクロック制御処理に対し、１２セグメント映像復号手段７、１セグメント映像復号手段８および音声復号手段５においては、それぞれクロックが供給されると、その供給クロックに従って復号処理が行われる。
【００８０】
そして、上述のようなクロック制御処理が、移動状態の変化のたびに、移動検出手段２の検出情報に基づいて繰り返し実行され、１２セグメント映像復号手段７、１セグメント映像復号手段８および音声復号手段５による復号処理の状態が、常に自装置の特定の使用状態である移動状態の有無に応じて制御されることになる。
【００８１】
すなわち、本実施形態における一連の処理は、自装置（受信装置）の特定の使用状態である移動中を検出する移動検出ステップと、この移動検出ステップによる検出結果に基づいて受信する階層を切り替える階層切替ステップと、移動検出ステップによる検出結果に基づいてクロックの供給を制御するクロック制御ステップと、そのクロック制御ステップにより供給されたクロックに従って自装置の受信信号を復号する映像復号ステップとを含み、伝送帯域を分割して複数階層で構成された放送信号を受信し出力するデジタル放送受信を実行するものである。
【００８２】
本実施形態のデジタル放送受信装置においては、ＭＰＥＧ２Ｖｉｄｅｏ等の復号を行う１２セグメント映像復号手段７には一般に回路規模の大きなものが必要となり、音声復号手段５に比べて比較的大きな電力を消費するものの、自装置の移動状態（移動しながらの通信の有無）に応じ、消費電力の大きい映像復号回路を持つ１２セグメント映像復号手段７への入力クロックがクロック制御手段３によって停止され、１セグメント映像復号手段８への入力クロックに切り替えられるので、移動中は１２セグメント映像復号手段７と１セグメント映像復号手段８の消費電力の差分だけ映像復号に要する電力を削減することができる。その結果、消費電力の大きな削減効果が得られる。
【００８３】
このように本実施形態では、自装置の特定の使用状態に応じて、主たる映像信号の復号手段を１２セグメント映像復号手段７から１セグメント映像復号手段８に切り替えるようクロック制御を実行することで、移動中という特定の使用状態において１２セグメント映像復号手段７へのクロックを制限して映像復号に要する電力を大幅に削減することができ、無駄な電力消費の少ないデジタル放送受信装置を提供することができる。
【００８４】
以上のように本発明の第２の実施の形態のデジタル放送受信装置によれば、移動状態に応じて１２セグメント放送から１セグメント放送に切り替えるＴＳ選択手段６と、消費電力の大きい１２セグメント映像復号手段７に入力されるクロック数を制御するクロック制御手段３を設けることにより、移動中は１２セグメント映像復号手段７へのクロックを停止して映像復号に要する電力を削減するという効果を有するデジタル放送受信装置を提供することができ、しかも、移動中に１セグメント映像復号手段８からの映像信号を得ることができる。
【００８５】
なお、以上の説明では、１２セグメント映像復号手段７と１セグメント映像復号手段８を別のブロック（例えば集積回路）で構成した例について説明したが、同一のブロックとした構成としてもよい。また、移動中には上述のようにクロック供給を停止するのではなく、クロック周波数を下げる、すなわち低くする（所定時間当りの供給クロック数を少なくする）ことで、消費電力を削減することができる。１２セグメント放送の復号に比べて１セグメント放送復号処理は処理量が少ないため、低クロックでの復号動作が可能である。
【００８６】
また、以上の説明では、消費電力削減効率が最も高いと考えられる１２セグメント復号手段７へのクロック供給のみを停止する構成としたが、さらにクロック停止と同時に１２セグメント復号手段７への電源供給を停止したり、１２セグメント復号手段７に入力するＥＳを停止することも可能であり、これにより更に電力削減効率を高めるような構成としてもよい。
【産業上の利用可能性】
【００８７】
以上のように、本発明にかかるデジタル放送受信装置は、移動中に消費電力が大きい映像復号手段を作動させないようして無駄な消費電力を削減することができるという効果を奏するものであり、デジタル放送受信装置、特に、ＩＳＤＢ−Ｔ方式等に準拠したデジタル放送受信装置全般に有用である。
【図面の簡単な説明】
【００８８】
【図１】本発明の第１の実施の形態に係るデジタル放送受信装置のブロック図
【図２】本発明の第１の実施の形態に係るデジタル放送受信装置に係るクロック制御処理の手順を示すフローチャート
【図３】本発明の第２の実施の形態に係る１２セグメント／１セグメント共用のデジタル放送受信装置のブロック図
【図４】本発明の第２の実施の形態に係るデジタル放送受信装置におけるＴＳ選択処理の手順を示すフローチャート
【図５】本発明の第２の実施の形態に係るデジタル放送受信装置におけるクロック制御処理の手順を示すフローチャート
【図６】従来例のデジタル放送受信装置のブロック図
【図７】従来例の１２セグメント／１セグメント共用のデジタル放送受信装置のブロック図
【符号の説明】
【００８９】
１、１０  デジタル放送受信装置
２  移動検出手段（状態検出手段、受信感度検出手段）
３  クロック制御手段
４  映像復号手段（復号手段）
５  音声復号手段（復号手段）
６  ＴＳ選択手段（階層切替手段）
７  １２セグメント映像復号手段（復号手段）
８  １セグメント映像復号手段（復号手段）
１０１  チューナー
１０１Ａ  １２セグメントチューナー
１０１Ｂ  １セグメントチューナー
１０２  ＴＳ分離部
１０３  クロック生成部
【図１】
2007068020.tif 000003
【図２】
2007068020.tif 000004
【図３】
2007068020.tif 000005
【図４】
2007068020.tif 000006
【図５】
2007068020.tif 000007
【図６】
2007068020.tif 000008
【図７】
2007068020.tif 000009